(57)【特許請求の範囲】
【請求項１】
縦方向およびそれに直交する横方向を有し、肌対向面およびその反対側に位置する非肌対向面と、前ウエスト域と、後ウエスト域と、前記前後ウエスト域間に位置するクロッチ域と、前記前後ウエスト域を画成する弾性ウエストパネルと、前記弾性ウエストパネルに取り付けられ、前記前後ウエスト域の一部および前記クロッチ域を画定し、かつ、吸液構造体を有するクロッチパネルとを含む使い捨て着用物品において、
前記クロッチパネルは、少なくとも前記横方向へ延びる前後端縁が、前記弾性ウエストパネルの前記非肌対向面にそれぞれ取り付けられ、
前記弾性ウエストパネルは、前記肌対向面に位置する内面シートと、前記非肌対向面に位置する外面シートと、前記内外面シートの間に位置し、前記横方向へ伸縮可能なウエスト弾性体と、前記内外面シートの間に位置し、少なくともいずれか一方に接合領域を介して接合された防漏シートとを有し、
前記内外面シートは、前記ウエスト弾性体の周面の接着剤によってのみ互いに接合され、
前記防漏シートは、前記横方向へ延びるとともに前記縦方向の外方に位置する上端縁と、前記上端縁に対向する下端縁と、前記縦方向へ延びる両側縁とによって画定され、
前記接合領域は、非接合部と、前記非接合部の前記縦方向外方に位置する接合部とを有し、
前記接合部は、前記防漏シートの前記両側縁間に形成されるとともに、前記縦方向へ離間して複数形成され、複数の前記接合部の間に前記非接合部が位置し、
前記非接合部は、前記防漏シートの両側縁間に前記横方向へ連続して延びるように形成され、
前記縦方向において隣接する前記ウエスト弾性体と前記ウエスト弾性体との間隙が、前記非接合部と平面視において重なることを特徴とする前記使い捨て着用物品。
【請求項２】
前記防漏シートは、前記内面シートに接合される請求項１に記載の使い捨て着用物品。
【請求項３】
前記防漏シートの少なくとも一部は、前記クロッチパネルの前記前後端縁の少なくともいずれか一方よりも前記縦方向外方へ位置する延出部を有する請求項１または２に記載の使い捨て着用物品。
【請求項４】
前記延出部には、図形や文字などの表示要素が形成され、前記表示要素は、前記弾性ウエストパネルの前記非肌対向面から視認可能にされる請求項３記載の使い捨て着用物品。
【発明の詳細な説明】
【技術分野】
【０００１】
本発明は、使い捨て着用物品に関し、より詳しくは、クロッチパネルと弾性ウエストパネルとを有する使い捨ておむつ、使い捨てのトイレット・トレーニングパンツ、使い捨て失禁パンツ、使い捨ての生理用パンツ、使い捨て吸収パッド等の使い捨て着用物品に関する。
【背景技術】
【０００２】
従来、クロッチパネルと弾性ウエストパネルとを有する使い捨て着用物品は公知である。例えば、特許文献１には、前後ウエスト域を形成する弾性ウエストパネルと、クロッチ域を中心として前後ウエスト域に延びるクロッチパネルとを備える使い捨て着用物品が開示される。
【先行技術文献】
【特許文献】
【０００３】
【特許文献１】特開２００８−１７８６８２号
【発明の概要】
【発明が解決しようとする課題】
【０００４】
特許文献１に開示の着用物品によれば、ウエストパネルにクロッチパネルの一部が接合される。クロッチパネルでは、吸収性本体が構成され、トップシートと、吸収要素と、液不透過性シートとを有する。ウエストパネルにおいて、クロッチパネルが重なった部分では、液不透過性シートによって通気性が悪くなり、着用物品内が蒸れやすく、着用者の肌のかぶれ等の要因となりかねない。
【０００５】
そこで、本発明の課題は、従来の着用物品の改良であって、ウエストパネルの通気性を確保して、蒸れ難くした使い捨て着用物品を提供することにある。
【課題を解決するための手段】
【０００６】
本発明は、縦方向およびそれに直交する横方向を有し、肌対向面およびその反対側に位置する非肌対向面と、前ウエスト域と、後ウエスト域と、前記前後ウエスト域間に位置するクロッチ域と、前記前後ウエスト域を画成する弾性ウエストパネルと、前記弾性ウエストパネルに取り付けられ、前記前後ウエスト域の一部および前記クロッチ域を画定し、かつ、吸液構造体を有するクロッチパネルとを含む使い捨て着用物品の改良にかかわる。
【０００７】
本発明は、前記着用物品において、前記クロッチパネルは、少なくとも前記横方向へ延びる前後端縁が、前記弾性ウエストパネルの前記非肌対向面にそれぞれ取り付けられ、前記弾性ウエストパネルは、前記肌対向面に位置する内面シートと、前記非肌対向面に位置する外面シートと、前記内外面シートの間に位置し、前記横方向へ伸縮可能なウエスト弾性体と、前記内外面シートの間に位置し、少なくともいずれか一方に接合領域を介して接合された防漏シートとを有し、前記内外面シートは、前記ウエスト弾性体の周面の接着剤によってのみ互いに接合され、前記防漏シートは、前記横方向へ延びるとともに前記縦方向の外方に位置する上端縁と、前記上端縁に対向する下端縁と、前記縦方向へ延びる両側縁とによって画定され、前記接合領域は、非接合部と、前記非接合部の前記縦方向外方に位置する接合部とを有し、前記接合部は、前記防漏シートの前記両側縁間に形成されるとともに、前記縦方向へ離間して複数形成され、複数の前記接合部の間に前記非接合部が位置し、前記非接合部は、前記防漏シートの両側縁間に前記横方向へ連続して延びるように形成され、前記縦方向において隣接する前記ウエスト弾性体と前記ウエスト弾性体との間隙が、前記非接合部と平面視において重なることを特徴とする。
【発明の効果】
【０００８】
本発明に係る一つ以上の実施態様における使い捨て着用物品によれば、弾性ウエストパネルは、内外面シートと、これらシートの間に位置する防漏シートとを含み、防漏シートは、内外面シートのいずれか一方に接合領域を介して接合される。接合領域は、接合部と、横方向へ連続して延びる非接合部とを有する。非接合部では、接着剤等が存在しないから、通気性を確保することができ、着用物品内における蒸れを予防することができる。
【図面の簡単な説明】
【０００９】
【図１】本発明の実施形態における使い捨て着用物品の一例として示す、使い捨ておむつの斜視図。
【図２】おむつのサイドシーム部を剥離して前後方向に伸展した状態をその内面から見た一部破断展開平面図。
【図３】おむつの分解斜視図。
【図４】図１のＩＶ−ＩＶ線に沿う模式的断面図。
【図５】図４のＶで囲った部分の拡大図。
【図６】防漏シートの接合領域を示した図。
【発明を実施するための形態】
【００１０】
図１〜４を参照すれば、本発明の着用物品の一例として示す使い捨ておむつ１０は、縦方向Ｙおよびそれに直交する横方向Ｘと、横方向Ｘの幅寸法を二等分する仮想縦中心線２−２と、縦方向Ｙの幅寸法を二等分する仮想横中心線３−３とを有する。おむつ１０は、仮想縦中心線２−２に関して対称に形成されている。
【００１１】
おむつ１０は、肌対向面およびそれに対向する非肌対向面と、環状の弾性ウエストパネルを構成する前後ウエストパネル２０,３０と、前後ウエストパネル２０，３０の非肌対向面に取り付けられたクロッチパネル４０と、前ウエスト域１１と、後ウエスト域１２と、前後ウエスト域１１，１２間を縦方向Ｙへ延びるクロッチ域１３とを含む。前ウエストパネル２０によって前ウエスト域１１が画定され、後ウエストパネル３０によって後ウエスト域１２が画定される。また、クロッチパネル４０の一部でクロッチ域１３が画定される。
【００１２】
前ウエストパネル２０は、横方向Ｘへ延びる上下端縁２０Ａ，２０Ｂおよび縦方向Ｙへ延びる両側縁２０Ｃを有し、同様に、後ウエストパネル３０は、横方向Ｘへ延びる上下端縁３０Ａ，３０Ｂおよび縦方向Ｙへ延びる両側縁３０Ｃを有する。前後ウエストパネル２０，３０は、ほぼ同形同大であって、それぞれ横長の矩形状にされる。クロッチパネル４０は、縦長の略矩形状であって、横方向Ｘへ延びる前端縁４０Ａと、前端縁４０Ａに対向する後端縁４０Ｂとを有し、前端縁４０Ａが第１接合部７１を介して前ウエストパネル２０の非肌対向面（外面）に取り付けられ、後端縁４０Ｂが第２接合部７２を介して後ウエストパネル３０の非肌対向面に取り付けられる。前ウエストパネル２０の下端縁２０Ｂから後ウエストパネル３０の下端縁３０Ｂまでの間にクロッチ域１３が画定される。
【００１３】
前後ウエストパネル２０，３０の両側縁２０Ｃ，３０Ｃは、互いに重ね合わされて、縦方向Ｙへ延びる断続的な一連のサイドシーム部１４によって連結され、前後ウエストパネル２０，３０の上端縁２０Ａ，３０Ａによっておむつ１のウエスト開口１５が画定され、下端縁２０Ｂ，３０Ｂによっておむつ１のレッグ開口１６の一部が画定される。サイドシーム部１４は、公知の接合手段、例えば、熱エンボス加工、ソニック加工等の各種の熱溶着手段によって、縦方向Ｙへ断続的に溶着されることによって形成される。
【００１４】
前後ウエストパネル２０，３０は、肌対向面側に位置する第１および第２内面シート２１，３１と、非肌対向面側に位置する第１および第２外面シート２２，３２と、これらシート２１，２２および３１，３２の間に位置する第１および第２防漏シート２３，３３とを有する。第１内外面シート２１，２２および第２内外面シート３１，３２は、例えば、質量約１０〜３０ｇ／ｍ２の不透液性のＳＭＳ（スパンボンド・メルトブローン・スパンボンド）繊維不織布若しくはスパンボンド繊維不織布、または、プラスチックシートとそれらいずれかの繊維不織布とのラミネートシートとから形成される。第１および第２防漏シート２３，３３は、例えば、不透液性かつ通気性のプラスチックシートから形成される。
【００１５】
第１および第２防漏シート２３，３３は、横方向Ｘへ延びるとともに縦方向Ｙ外方に位置する上端縁２３Ａ，３３Ａと、上端縁２３Ａ，３３Ａに対向する下端縁２３Ｂ，３３Ｂと、縦方向Ｙへ延びる両側縁２３Ｃ，３３Ｃとによって画定される。第１防漏シート２３は、前ウエストパネル２０の横方向Ｘの中央であって、かつ、下端縁２０Ｂに沿って取り付けられ、第１防漏シート２３の下端縁２３Ｂと前ウエストパネル２０の下端縁２０Ｂとが一致する。同様に、第２防漏シート３３は、後ウエストパネル３０の横方向Ｘの中央であって、かつ、下端縁３０Ｂに沿って取り付けられる。第２防漏シート３３の下端縁３３Ｂと後ウエストパネル３０の下端縁３０Ｂとが一致する。両側縁２３Ｃ，３３Ｃは、クロッチパネル４０の両側縁４０Ｃよりもその横方向Ｘにおける寸法が小さくされている。第１防漏シート２３の上端縁２３Ａは、縦方向Ｙにおいてクロッチパネル４０の前端縁４０Ａよりも縦方向Ｙ内方に位置する。第２防漏シート３３は、上端縁３３Ａがクロッチパネル４０の後端縁４０Ｂから縦方向Ｙ外方へ延出され、延出部３６が形成される。第１および第２防漏シート２３，３３は、接合領域９０を介して第１および第２内外面シート２１，３１に接合される。
【００１６】
図３，６を参照すれば、接合領域９０は、横方向Ｘへ連続して延びる複数条の接合部９１と、これら接合部９１の間に位置し、横方向Ｘへ連続して延びる非接合部９２とを有する。接合部９１および非接合部９２は、第１および第２防漏シート２３，３３の両側縁２３Ｃ間および３３Ｃ間において、横方向Ｘのほぼ全域に形成される。接合部９１は、ホットメルト接着剤等の公知の接合手段によって形成され、接着剤を横方向Ｘに連続的に塗布してもよいし、スパイラル状に間欠的に塗布してもよい。すなわち、接着剤は、横方向Ｘに連続的に延びるものであっても、間欠的に延びるものであってもよく、第１および第２内面シート２１，３１に接着可能な範囲において適宜選択され得る。非接合部９２では、接着剤は塗布されず、第１および第２内面シート２１，３１から離間可能とされる。なお、図６では第２防漏シート３３のみを示しているが、第１防漏シート２３も同様の接合域９０を有する。
【００１７】
図２，３を参照すれば、第１内外面シート２１，２２間および第２内外面シート３１，３２間には、横方向Ｘへ延びる複数条のストランド状又はストリング状の前後ウエスト弾性体２４，３４が配設される。前後ウエストパネル２０，３０は、前後ウエス弾性体２４，３４が配設されることによって少なくとも横方向Ｘへ伸縮可能に弾性化される。前ウエスト弾性体２４は、第１防漏シート２３が存在する領域においては、第１防漏シート２３と第１外面シート２２との間に配設される。同様に、後ウエスト弾性体３４も、第２防漏シート３３が存在する領域においては、第２防漏シート３３と第外面シート３２との間に配設される。
【００１８】
図５を参照すれば、後ウエスト弾性体３４のほぼ全周面には、ホットメルト接着剤６１が塗布され、この接着剤６１を介して第２内外面シート３１，３２が互いに接着される。第２内外面シート３１，３２のほぼ全域に接着剤を塗布し、これらを互いに接着した場合に比べて、接着剤の塗布量を少なくすることができ、接着剤によって後ウエストパネル３０の剛性が高くなるのを予防することができる。ただし、第２内外面シート３１，３２の全域に接着剤を塗布するものを排除するものではない。
【００１９】
図５では、後ウエストパネル３０のみ示しているが、前ウエストパネル２０でも同様に、前ウエスト弾性体２４の周面に接着剤が塗布され、この接着剤を介して第１内外面シート２１，２２が互いに接合される。なお、接着剤６１は、前後ウエスト弾性体２４，３４の周面の少なくとも一部に塗布され、好ましくはより広い面積、より好ましくはほぼ全周面に塗布される。
【００２０】
再び図２，３，４を参照すれば、前後ウエストパネル２０，３０には、前後ウエスト弾性体２４，３４の縦方向Ｙにおける離間寸法が他の領域よりも大きくされた第１および第２大離間部２５，３５が形成される。第１および第２大離間部２５，３５は、クロッチパネル４０の前後端縁４０Ａ，４０Ｂよりもそれぞれ縦方向Ｙ外方に位置する。第１および第２大離間部２５，３５における縦方向Ｙにおける寸法は、約１０〜３５ｍｍ、好ましくは約２０〜３０ｍｍとされる。縦方向Ｙにおける寸法とは、第１および第２大離間部２５，３５を画定する一方の弾性体の中心から、他方の弾性体の中心までの寸法（ピッチ）をいう。第１および第２大離間部２５，３５以外の領域において、縦方向Ｙに互いに隣接する弾性体の縦方向Ｙにおける寸法は、約５〜１５ｍｍ、好ましくは約５〜１０ｍｍとされる。この実施形態において、太さ約５００〜１０００ｄｔｅｘの前後ウエスト弾性体２４，３４を用いることができ、約１．８〜３．０倍の伸長倍率で取り付けることができる。
【００２１】
前後ウエストパネル２０，３０に第１および第２大離間部２５，３５を形成したので、おむつ１０の着用時、または、着用中に、着用者またはその世話人らがこの第１および第２大離間部２５，３５に指を引っかけて、前ウエスト域１１または後ウエスト域１２を挟持して引き上げることができる。したがって、おむつ１０から指が滑らず、引き上げやすい。また、第１および第２大離間部２５，３５がクロッチパネル４０の縦方向Ｙ外方に位置し、すなわち、クロッチパネル４０には重ならないことによって、これら第１および第２大離間部２５，３５の柔軟性を維持することができるので、より一層指を引っ掛けやすくすることができる。
【００２２】
前ウエストパネル２０は、上端縁２０Ａおよび下端縁２０Ｂに沿って、複数の溶着部２７，２８を有し、同様に、後ウエストパネル３０も、上端縁３０Ａおよび下端縁３０Ｂに沿って複数の溶着部３７，３８を有する。溶着部２７，２８および３７，３８は、横方向Ｘへ断続的に位置し、第１内外面シート２１，２２および第２内外面シート３１，３２を部分的に溶着し、接合する。溶着部２７，２８および３７，３８は、公知の接合手段、例えば、熱エンボス加工、ソニック加工等の各種の熱溶着手段によって形成される。第１内外面シート２１，２２および第２内外面シート３１，３２は、第１および第２ウエスト弾性体２４，３４の周面にある接着剤６１によってのみ互いに接着しているから、特に上端縁２０Ａ，３０Ａ、下端縁２０Ｂ，３０Ｂにおいて、これら内外面シートが互いに剥離し、シートの間に着用者の指等が引っかかる可能性がある。しかし、溶着部２７，３７によって、溶着されているので、これら剥離を防止し、指等の引っかかりを未然に防止することができる。
【００２３】
前後ウエストパネル２０，３０の第１および第２外面シート２２，３２には、接合されたクロッチパネル４０の前後端縁４０Ａ，４０Ｂを覆うようにこれらに重なって、第１および第２カバーシート８１，８２が取り付けられる。第１および第２カバーシート８１，８２は、それぞれ横長の矩形状にされ、その両側縁はサイドシーム部１４によって、第１内外面シート２１，２２および第２内外面シート３１，３２とともに互いに接合される。第１および第２カバーシート８１，８２の縦方向Ｙにおける寸法は、第１内外面シート２１，２２および第２内外面シート３１，３２のそれよりも小さくされる。第１および第２カバーシート８１，８２は、例えば、質量約１０〜３０ｇ／ｍ２の不透液性のＳＭＳ（スパンボンド・メルトブローン・スパンボンド）繊維不織布またはスパンボンド繊維不織布によって形成することができる。
【００２４】
第１および第２カバーシート８１，８２は、ホットメルト接着剤等の公知の接着剤６３によって、第１および第２外面シート２２，２３に接着される（図５参照）。ホットメルト接着剤６３は、第１および第２カバーシート８１，８２のほぼ全域に間欠的に塗布される。第１および第２カバーシート８１，８２が重なる位置において、接着剤６３によってその剛性が高くなる傾向があったとしても、第１内外面シート２１，２２および第２内外面シート３１，３２は、前後ウエスト弾性体２４，３４の周面の接着剤６１によってのみ接合され、前後ウエストパネル２０，３０全体の剛性が過剰に高くなるのを抑制することができる。
【００２５】
第１および第２カバーシート８１，８２は、第１および第２大離間部２５，３５に重なって位置する。したがって、第１および第２大離間部２５，３５に位置する、第１内外面シート２１，２２および第２内外面シート３１，３２を補強することができ、第１および第２大離間部２５，３５に指を引っかけておむつ１０を引き上げた場合に、この第１および第２大離間部２５，３５が破れるのを予防することができる。また、後ウエストパネル３０の第２大離間部３５には、第２防漏シート３３の延出部３６が重なる。したがって、延出部３６が重なった領域では、より一層第２大離間部３５を補強することができ、引き上げ時の破れを予防することができる。
【００２６】
クロッチパネル４０は、ベースシート４３と、ベースシート４３の肌対向面（内面）に配置された吸液構造体４４と、吸液構造体４４を被覆する透液性シートから形成された身体側ライナ４５とを有する。
【００２７】
ベースシート４３は、少なくとも一方が不透液性の繊維不織布シート又はプラスチックフィルムから形成された内外面クロッチシート４６，４７によって形成される。また、内外面クロッチシート４６，４７は、両シート４６，４７のうちのいずれか一方のシートの内面に塗布されたホットメルト接着剤（図示せず）を介して互いに接合され、それらの両側部は、内方へ折り曲げられて、縦方向Ｙへ延びるガスケット機能を有する一対の弾性サイドフラップ４８が形成される。
【００２８】
弾性サイドフラップ４８には、縦方向Ｙへ延びる複数条のストランド状又はストリング状からなる第１レッグ弾性体５１と第２レッグ弾性体５２とが配設されており、少なくとも縦方向Ｙにおいて弾性化されている。具体的には、第２レッグ弾性体５２と弾性サイドフラップ４８の内側縁４９との間に第１レッグ弾性体５１が配設され、第１レッグ弾性体５１は内側縁４９に沿って縦方向Ｙへ直状に延びており、第２レッグ弾性体５２は、仮想横中心線３−３近傍において第１レッグ弾性体５１に向かって凸に湾曲して、着用者の大腿を囲む方向へ延びる。第１および第２レッグ弾性体５１，５２は、前記の内外面クロッチシート４６，４７のうちのいずれか一方の内面に塗布されたホットメルト接着剤（図示せず）を介して両シート４６，４７間に縦方向Ｙに伸長された状態で固定される。
【００２９】
おむつ１０の着用時において、第１レッグ弾性体５１の収縮力によって弾性サイドフラップ４８の内側縁４９近傍が、着用者の鼠蹊部近傍に密着し、レッグ開口１６からの排泄物の横漏れを防止することができる。また、第２レッグ弾性体５２が、仮想横中心線３−３近傍におけるその中央部で湾曲し第１レッグ弾性体５１に接近しているので、これらが離間した部分に比べて収縮力が大きくなる。それにより、着用者の鼠蹊部近傍に対向する弾性サイドフラップ４８の中央部近傍が着用者の身体に密着し、レッグ開口１６からの排泄物の横漏れをより効果的に防止することができる。
【００３０】
身体側ライナ４５は、好ましくは親水化処理された、質量約１５〜３５ｇ／ｍ２の透液性を有する繊維不織布シートであって、例えば、スパンボンド繊維不織布、ポイントボンド繊維不織布およびエアスルー不織布等各種公知の繊維不織布から形成することができる。
【００３１】
吸液構造体４４は、不溶性かつ自己質量の１０倍以上の吸水力を有するいわゆる吸収性ポリマー粒子から形成された吸収性コアを、質量約８〜１５ｇ／ｍ２、好ましくは、質量約１０ｇ／ｍ２の透水性の繊維不織布から形成された被覆シートで覆って構成される。吸収性ポリマー粒子が体液を吸収した後にその形状が型崩れするのを防止するために、吸収性コアを複数の吸収域に区分することができる。なお、吸収性コアは、吸収性ポリマー粒子のほかに、フラッフパルプ等の公知の吸収性材料を含むものであってもよい。また、吸液構造体４４は、図示しない公知の接着手段を介してベースシート４３の内面に固定されている。吸液構造体４４は、その全域でベースシート４３に接合されるようにしてもよいし、その一部、特に前後端縁のみが接合されるようにしてもよい。
【００３２】
上記のようなおむつ１０には、前後ウエストパネル２０，３０の下端縁２０Ｂ，３０Ｂ近傍と、クロッチパネル４０とによって囲まれた排泄物収容スペース５４が形成される。クロッチパネル４０は、前後ウエストパネル２０，３０の外面に取り付けられるが、それらを前後ウエストパネル２０，３０の内面に取り付ける場合に比して、排泄物収容スペース５４を大きく形成することができる。なお、排泄物収容スペースが所要の大きさを有する限りにおいて、前後ウエスト域１１，１２のうちのいずれか一方のみが前後ウエストパネル２０，３０，の外面に取り付けられていればよい。また、吸液構造体４４は比較的に薄いものであるから、おむつ１０は、この種の他の物品に比して大容量の排泄物収容スペース５４を有し、比較的に多量の排泄物を保持することができるとともに、着用者の臀部から離間した状態でクロッチパネル４０が吊持されて袋状を呈し、排泄物によって着用者の臀部が汚れるのを抑えることができる。
【００３３】
クロッチパネル４０を前後ウエストパネル２０，３０に接合する第１および第２接合部７１，７２は、クロッチ域１３に向かって開口した凹状を有し、それぞれ、弾性サイドフラップ４８の肌対向面にホットメルト接着剤を塗布して形成された両側部位７３，７４と、両側部位間において、横方向Ｘへ延びる中央部位７５，７６とを有する。中央部位７５，７６は、吸液構造体４４よりも縦方向Ｙ外方に位置しており、両側部位７３，７４と中央部位７５，７６との間には、ホットメルト接着剤が塗布されていない非接合部位７７，７８が画定される。なお、本実施形態において、第１接合部７１の両側部位７３は段差状、第２接合部７２の両側部位７４は矩形状を有しているが、それらの形状に制限されるものではなく、両側部位７３，７４は、段差状、矩形状、曲状などの各種の形状を有していてもよい。
【００３４】
第１および第２接合部７１，７２に非接合部位７７，７８が画定されることによって、前後ウエストパネル２０，３０とクロッチパネル４０との間において第１および第２ポケット（空間部）５５，５６が形成される。第１および第２ポケット５５，５６が形成されることによってクロッチパネル４０内に画定される排泄物収容スペース５４をより大きくすることができる。また、第１および第２ポケット５５，５６は、第１および第２接合部７１，７２によってクロッチパネル４０と前後ウエストパネル２０，３０とが水密に接合されることによって、これらポケット５５，５６から排泄物が漏れるのを予防することができる。
【００３５】
上記のようなおむつ１において、第２防漏シート３３の延出部３６に、図形や文字などの表示要素を設けることができる。例えば、おむつ１のサイズを示す「Ｍ」の文字や、商品名や、キャラクター図形などを付することができる。表示要素は、延出部３６の第２内面シート３１対向面、または、第２外面シート３２対向面のいずれに設けてもよいが、これら表示要素がおむつ１の非肌対向面から視認可能とする。この実施形態では、延出部３６の非身体側には、第２外面シート３２および第２カバーシート８２が積層されているから、表示要素は、少なくともこれらシートを透過して視認される。表示要素が視認可能であるか否かは、表示要素の色や、表示要素に積層されるシートの光線透過率などによって決定される。また、第２防漏シート３３は、接合領域９０によって広範囲で第２内面シート３１に接着されているから、第２内外面シート３１，３２間において浮き上がったり、よれたりすることがなく、非肌対向面から視認し易くすることができる。
【００３６】
延出部３６は、第２大離間部３５に重なって配置される。第２大離間部３５では、隣接する他の領域に比べて、弾性体の間隔が広いので、弾性体によって形成される皺も少なくなり、延出部３６に形成された表示要素を見えやすくすることができる。なお、延出部３６は、後ウエストパネル３０にのみ形成されることとしているが、前後ウエストパネル２０，３０の少なくともいずれか一方に形成することができる。
大離間部は、前後ウエストパネル２０，３０のいずれにも形成されているが、少なくともいずれか一方に形成されるようにすることができる。ただし、前後パネル２０，３０に大離間部が形成されることによって、いずれを挟持して引っ張りあげる場合でも、指を引っかけることができるから、より一層引っ張りやすくすることができる。
【００３７】
上記のようなおむつ１０において、第１および第２防漏シート２３，３３と第１および第２内面シート２１，３１とを互いに接着する接合領域９０には、横方向Ｘに延びる非接合部９２が形成される。非接合部９２では、接着剤が存在しないから、第１内外面シート２１，２２および第２内外面シート３１，３２の通気性を阻害することなく、おむつ１０内の蒸れを予防することができる。また、前後ウエストパネル２０，３０において、クロッチパネル４０が重なる部分では、より通気性が悪くなるが、クロッチパネル４０が重なる部分には、第１および第２防漏シート２３，３３の少なくとも一部が重なり、非接合部９２によって通気性が確保されるから、クロッチパネル４０が重なった部分においても、顕著な通気性の悪化を防止することができる。
【００３８】
非接合部９２は、第１および第２防漏シート２３，３３の両側縁２３Ｃ，３３Ｃ間において横方向Ｘ全域に延びる。これら非接合部９２で第１内外面シート２１，２２および第２内外面シート３１，３２が互いに離間した場合には、横方向Ｘに延びる空間が形成され、一方の側縁２３Ｃ，３３Ｃから他方の側縁２３Ｃ，３３Ｃに向かって空気の通過が可能になる。したがって、より一層、おむつ１０内の蒸れを防止することができる。
【００３９】
第１および第２防漏シート２３，３３では、非接合部９２を有することによって、その分接着剤の塗布量を減らすことができ、接着剤の塗布によって第１内外面シート２１，２２および第２内外面シート３１，３２の剛性が高くなるのを防止することができる。また、この非接合部９２では、第１内外面シート２１，２２および第２内外面シート３１，３２が互いに離間可能にされる。第１内外面シート２１，２２間および第２内外面シート３１，３２間には、前後ウエスト弾性体２４，３４が伸長状態で取り付けられているから、これらが収縮することによって、第１内外面シート２１，２２および第２内外面シート３１，３２が離間し易くなる。第１内外面シート２１，２２および第２内外面シート３１，３２が非接合部９２で互いに離間することによって、前後ウエストパネル２０，３０の剛性を部分的に低くすることができ、着用者の肌に接触する際の刺激をより一層低減することができる。このような非接合部９２の面積は、第１および第２防漏シート３２，３３の面積の約３０〜９０％、好ましくは約５０〜８０％とすることができる。
【００４０】
上記のようなおむつ１０を例えば寝たきりの大人に用いた場合には、第２防漏シート３３を仙骨に位置するように着用させることができる。寝たきりの着用者が仰向けに寝ることによって、仙骨の周囲に褥瘡ができやすくなるが、仙骨と寝具との間におむつ１０の第２防漏シート３３が位置することによって、褥瘡ができにくくすることができる。すなわち、非接合部９２で、第２防漏シート３３と第２内面シート３１とが離間して空隙が形成されることによって、着用者の肌と寝具との間のクッション剤として機能することができ、褥瘡ができ難くすることができ、褥瘡の悪化や、褥瘡による痛みの軽減をすることも可能である。また、第２防漏シート３３によって、排泄物が肌に付着するのを防止することができる。
【００４１】
第１および第２防漏シート２３，３３は、第１および第２内面シート２１，３１に接着され、これら防漏シート２３，３３と第１および第２外面シート２２，３２との間に前後ウエスト弾性体２４，３４が配設される。したがって、前後ウエスト弾性体２４，３４の収縮力は、第１および第２防漏シート２３，３３および第１および第２内面シート２１，３１を介して着用者の肌に伝達されるから、これら防漏シート２３，３３がない場合に比べて、着用者の肌に対する弾性体の刺激を低減することができる。
【００４２】
おむつ１０を構成する各構成部材には、本明細書に記載されている材料のほかに、この種の物品において通常用いられている各種の公知の材料を制限なく用いることができる、また、本発明の明細書および特許請求の範囲において、「第１」および「第２」の用語は、同様の要素、位置などを単に区別するために用いられている。
【００４３】
以上に記載した本発明に関する開示は、少なくとも下記事項に要約することができる。
本発明は、以下の使い捨て着用物品１０の改良にかかわる。着用物品１０は、縦方向Ｙおよびそれに直交する横方向Ｘを有し、肌対向面およびその反対側に位置する非肌対向面と、前ウエスト域１１と、後ウエスト域１２と、前記前後ウエスト域１１，１２間に位置するクロッチ域１３と、前記前後ウエスト域１１，１２を画成する弾性ウエストパネル２０，３０と、前記弾性ウエストパネル２０，３０に取り付けられ、前記前後ウエスト域１１，１２の一部および前記クロッチ域１３を画定し、かつ、吸液構造体４４を有するクロッチパネル４０とを含む。
【００４４】
本発明は、上記使い捨て着用物品１において、以下の点を特徴とする。
前記クロッチパネル４０は、少なくとも前記横方向Ｘへ延びる前後端縁４０Ａ，４０Ｂが、前記弾性ウエストパネル２０，３０の前記非肌対向面にそれぞれ取り付けられる。
前記弾性ウエストパネル２０，３０は、前記肌対向面に位置する内面シート２１，３１と、前記非肌対向面に位置する外面シート２２，３２と、前記内外面シート２１，２２，３１，３２の間に位置し、少なくともいずれか一方に接合領域９０を介して接合された防漏シート２３，３３とを有する。
前記接合領域９０は、前記横方向Ｘへ連続して延びる非接合部９２と、前記非接合部９２の前記縦方向Ｙ外方に位置する接合部９１とを有する。
【００４５】
上記本発明は、少なくとも下記の実施の形態を含むことができる。
（１）前記非接合部９２は、前記防漏シート２３，３３の両側縁間に形成される。
（２）前記接合部９１は、前記防漏シート２３，３３の両側縁間に形成されるとともに、前記縦方向Ｙへ離間して複数形成され、これら接合部９１の前記縦方向Ｙの間に前記非接合部９２が形成される。
（３）前記防漏シート２３，３３は、前記内面シート２１，３１に接合される。
（４）前記内外面シート２１，２２，３１，３２の間には、前記横方向Ｘへ伸縮可能なウエスト弾性体２４，３４が取り付けられる。
（５）前記ウエスト弾性体２４，３４は、前記接合領域９０に重なって取り付けられる。
（６）前記防漏シート２３，３３は、前記クロッチパネル４０の前記弾性ウエストパネル２０，３０に接合された領域と重なって位置する。
（７）前記防漏シート２３，３３の少なくとも一部は、前記クロッチパネル４０の前記前後端縁４０Ａ，４０Ｂの少なくともいずれか一方よりも前記縦方向Ｙ外方へ位置する延出部３６を有する。
（８）前記延出部３６には、図形や文字などの表示要素が形成され、前記表示要素は、前記弾性ウエストパネル２０，３０の前記非肌対向面から視認可能にされる。
【符号の説明】
【００４６】
１０    使い捨て着用物品（使い捨ておむつ）
１１    前ウエスト域
１２    後ウエスト域
１３    クロッチ域
２０    前ウエストパネル（弾性ウエストパネル）
２０Ａ  上端縁
２０Ｂ  下端縁
２１    第１内面シート（内面シート）
２２    第１外面シート（外面シート）
２３    第１防漏シート（防漏シート）
２４    前ウエスト弾性体（ウエスト弾性体）
３０    後ウエストパネル
３０Ａ  上端縁
３０Ｂ  下端縁
３１    第２内面シート（内面シート）
３２    第２外面シート（外面シート）
３３    第２防漏シート（防漏シート）
３４    後ウエスト弾性体（ウエスト弾性体）
４６    延出部
４０    クロッチパネル
４０Ａ  前端縁
４０Ｂ  後端縁
９０    接合領域
９１    接合部
９２    非接合部
【図１】
0005868123.tif 000002
【図２】
0005868123.tif 000003
【図３】
0005868123.tif 000004
【図４】
0005868123.tif 000005
【図５】
0005868123.tif 000006
【図６】
0005868123.tif 000007